(57)【特許請求の範囲】
【請求項１】
水熱媒が通過する水熱媒循環回路と、
前記水熱媒循環回路上に設けられ、水熱媒を加熱又は冷却する熱源機と、
前記水熱媒循環回路上に設けられ、前記熱源機から流出する水熱媒が流入する複数の放熱器と、
前記複数の放熱器に対応して前記水熱媒循環回路上に各々設けられ、前記複数の放熱器に流入する水熱媒の量を調整する流量調整弁と、
操作手段と、
前記操作手段から出力される前記放熱器の運転開始、前記放熱器の運転停止、室温制御、水温制御の情報に基づいて前記流量調整弁を制御する制御手段と、を備え、
前記複数の放熱器は、
加熱された水熱媒のみ流入する暖房運転専用放熱器、
冷却された水熱媒のみ流入する冷房運転専用放熱器、及び
加熱及び冷却された水熱媒の何れも流入する冷房運転暖房運転兼用放熱器のうち二種類以上が適用され、
前記水熱媒循環回路上には、
前記暖房運転専用放熱器と、前記冷房運転専用放熱器又は前記冷房運転暖房運転兼用放熱器と、が各々一台以上存在する状態、又は、
前記冷房運転専用放熱器と、前記暖房運転専用放熱器又は前記冷房運転暖房運転兼用放熱器と、が各々一台以上存在する状態となっており、
前記制御手段は、
前記暖房運転専用放熱器が暖房運転においてのみ運転可能、前記冷房運転専用放熱器が冷房運転においてのみ運転可能、前記冷房運転暖房運転兼用放熱器が暖房運転または冷房運転の何れかの運転モードにおいてのみ運転可能、または暖房運転及び冷房運転の何れの運転モードでも運転可能となるように、前記複数の放熱器の各々を冷温水空調システムの構築を完了して空調運転を開始する前に、初期設定として設定し、
暖房運転の運転モードでのみ運転可能となるように設定された放熱器に、冷房運転の運転モードにおいて水熱媒が通過しないように前記流量調整弁を閉塞制御し、暖房運転の運転モードにおいて冷房運転の運転モードへ切替える指示が前記操作手段からあった場合に、前記流量調整弁の全てが閉塞していることを条件として冷房運転の運転モードへの切替えを許容する、又は
冷房運転の運転モードでのみ運転可能となるように設定された放熱器に、暖房運転の運転モードにおいて水熱媒が通過しないように前記流量調整弁を閉塞制御し、冷房運転の運転モードにおいて暖房運転の運転モードへ切替える指示が前記操作手段からあった場合に、前記流量調整弁の全てが閉塞していることを条件として暖房運転の運転モードへの切替えを許容する
ことを特徴とする冷温水空調システム。
【請求項２】
前記制御手段によって制御される報知手段をさらに備えた
ことを特徴とする請求項１に記載の冷温水空調システム。
【請求項３】
前記制御手段は、
暖房運転の運転モードにおいて冷房運転の運転モードへ切替える指示が前記操作手段からあった場合に、前記流量調整弁のうち少なくとも一つの流量制御弁が開放していることを条件として冷房運転の運転モードへの切替えを許容しない旨を前記報知手段に報知させる
ことを特徴とする請求項２に記載の冷温水空調システム。
【請求項４】
前記制御手段は、
冷房運転の運転モードにおいて暖房運転の運転モードへ切替える指示が前記操作手段からあった場合に、前記流量調整弁のうち少なくとも一つの流量制御弁が開放していることを条件として暖房運転の運転モードへの切替えを許容しない旨を前記報知手段に報知させる
ことを特徴とする請求項２に記載の冷温水空調システム。
【請求項５】
前記制御手段は、
暖房運転の運転モードが実行されている場合に、冷房運転の運転モードに設定されている放熱器が運転不可である旨を前記報知手段に報知させる
ことを特徴とする請求項２〜請求項４の何れか一項に記載の冷温水空調システム。
【請求項６】
前記制御手段は、
冷房運転の運転モードが実行されている場合に、暖房運転の運転モードに設定されている放熱器が運転不可である旨を前記報知手段に報知させる
ことを特徴とする請求項２〜請求項４の何れか一項に記載の冷温水空調システム。
【発明の詳細な説明】
【技術分野】
【０００１】
本発明は、冷温水空調システムに関する。
【背景技術】
【０００２】
一般に、冷温水空調システムは、一機の熱源機が不凍液等の水熱媒を加熱又は冷却することで温水や冷水を生成し、これを床暖房パネルやその他の輻射放熱器（パネルヒーター等）あるいはファンコイルユニット（ファンコンベクター等）といった放熱用の熱交換器を備えた空調機に循環させて周囲空間の空調を行うものである。
【０００３】
ここで、空調機が、冷暖房機能を果たす輻射放熱器と、暖房機能のみを果たす床暖房パネルと、によって構成されている場合には、冷房時において、暖房機能のみを果たす床暖房パネルに水熱媒を通過させると、床や床下に結露が生じて住宅寿命を損なうことになる。
【０００４】
ところで従来、冷暖房機能を果たす空調機（例えばファンコイルユニット）と暖房機能のみを果たす空調機（例えば床暖房パネル）とが並列接続された水方式空調システムにおいて、暖房機能のみを果たす空調機側に開閉器を設けた水方式空調システムがあった（例えば、特許文献１）。
【０００５】
特許文献１に記載の水方式空調システムは、水熱媒の水温が、結露の懸念される箇所の温度（例えば室温）を下回るとき、床暖房器やパネルヒータに冷水を通過させないように、暖房機能のみを果たす空調機側の開閉弁を閉塞している。
【先行技術文献】
【特許文献】
【０００６】
【特許文献１】特許第４４２１７８３号公報（第４頁、第５頁、図１）
【発明の概要】
【発明が解決しようとする課題】
【０００７】
しかしながら、特許文献１に記載の水方式空調システムは、熱源機及び冷暖房兼用の空調機を接続する水熱媒循環回路と、熱源機及び暖房専用の空調機を接続する水熱媒循環回路と、を各々独立して設ける必要があり、暖房専用の空調機を接続する水熱媒循環回路側に開閉弁を設ける必要がある。このため、暖房専用の水熱媒循環回路を構築するために追加の部材を要し、コストが嵩むという課題があった。
【０００８】
本発明は、上述のような課題を背景としてなされたものであり、従来と同様に結露の発生を抑制し、従来よりもコストを削減することができる冷温水空調システムを得ることを目的とする。
【課題を解決するための手段】
【０００９】
本発明の冷温水空調システムは、水熱媒が通過する水熱媒循環回路と、前記水熱媒循環回路上に設けられ、水熱媒を加熱又は冷却する熱源機と、前記水熱媒循環回路上に設けられ、前記熱源機から流出する水熱媒が流入する複数の放熱器と、前記複数の放熱器に対応して前記水熱媒循環回路上に各々設けられ、前記複数の放熱器に流入する水熱媒の量を調整する流量調整弁と、操作手段と、前記操作手段から出力される前記放熱器の運転開始、前記放熱器の運転停止、室温制御、水温制御の情報に基づいて前記流量調整弁を制御する制御手段と、を備え、前記複数の放熱器は、加熱された水熱媒のみ流入する暖房運転専用放熱器、冷却された水熱媒のみ流入する冷房運転専用放熱器、及び加熱及び冷却された水熱媒の何れも流入する冷房運転暖房運転兼用放熱器のうち二種類以上が適用され、前記水熱媒循環回路上には、前記暖房運転専用放熱器と、前記冷房運転専用放熱器又は前記冷房運転暖房運転兼用放熱器と、が各々一台以上存在する状態、又は、前記冷房運転専用放熱器と、前記暖房運転専用放熱器又は前記冷房運転暖房運転兼用放熱器と、が各々一台以上存在する状態となっており、前記制御手段は、前記暖房運転専用放熱器が暖房運転においてのみ運転可能、前記冷房運転専用放熱器が冷房運転においてのみ運転可能、前記冷房運転暖房運転兼用放熱器が暖房運転または冷房運転の何れかの運転モードにおいてのみ運転可能、または暖房運転及び冷房運転の何れの運転モードでも運転可能となるように、前記複数の放熱器の各々を冷温水空調システムの構築を完了して空調運転を開始する前に、初期設定として設定し、暖房運転の運転モードでのみ運転可能となるように設定された放熱器に、冷房運転の運転モードにおいて水熱媒が通過しないように前記流量調整弁を閉塞制御し、暖房運転の運転モードにおいて冷房運転の運転モードへ切替える指示が前記操作手段からあった場合に、前記流量調整弁の全てが閉塞していることを条件として冷房運転の運転モードへの切替えを許容する、又は冷房運転の運転モードでのみ運転可能となるように設定された放熱器に、暖房運転の運転モードにおいて水熱媒が通過しないように前記流量調整弁を閉塞制御し、冷房運転の運転モードにおいて暖房運転の運転モードへ切替える指示が前記操作手段からあった場合に、前記流量調整弁の全てが閉塞していることを条件として暖房運転の運転モードへの切替えを許容するものである。
【発明の効果】
【００１０】
本発明によれば、制御手段は、暖房運転及び冷房運転のうち一方の運転モードにおいてのみ運転可能、又は暖房運転及び冷房運転の何れの運転モードでも運転可能となるように複数の放熱器の各々を設定し、暖房運転の運転モードでのみ運転可能となるように設定された放熱器に、冷房運転の運転モードにおいて水熱媒が通過しないように流量調整弁を閉塞制御し、暖房運転の運転モードにおいて冷房運転の運転モードへ切替える指示が操作手段からあった場合に、流量調整弁の全てが閉塞していることを条件として冷房運転の運転モードへの切替えを許容する、又は冷房運転の運転モードでのみ運転可能となるように設定された放熱器に、暖房運転の運転モードにおいて水熱媒が通過しないように流量調整弁を閉塞制御し、冷房運転の運転モードにおいて暖房運転の運転モードへ切替える指示が操作手段からあった場合に、流量調整弁の全てが閉塞していることを条件として暖房運転の運転モードへの切替えを許容するものである。このため、水熱媒循環回路を複数設けることなく、結露の発生を抑制するように暖房運転及び冷房運転を行うことができる。したがって、従来と同様に結露の発生を抑制し、従来よりもコストを削減することができる。
【図面の簡単な説明】
【００１１】
【図１】本発明の実施の形態１に係る冷温水空調システム１００のシステム構成を示す図である。
【図２】本発明の実施の形態１に係る冷温水空調システム１００のリモコン５の構成を示す図である。
【図３】本発明の実施の形態１に係る冷温水空調システム１００の初期設定のフローチャートである。
【図４】本発明の実施の形態１に係る冷温水空調システム１００のリモコン５に表示される画面の一例を示す図である。
【図５】本発明の実施の形態１に係る冷温水空調システム１００のリモコン５に表示される画面の一例を示す図である。
【図６】本発明の実施の形態１に係る冷温水空調システム１００のリモコン５に表示される画面の一例を示す図である。
【発明を実施するための形態】
【００１２】
以下に、本発明に係る冷温水空調システム１００を図面に基づいて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】
実施の形態１．
図１は本発明の実施の形態１に係る冷温水空調システム１００のシステム構成を示す図である。図１に示されるように、冷温水空調システム１００は、熱源機１と、水熱媒循環回路２と、放熱器３ａ，３ｂ，３ｃと、流量調整弁４ａ，４ｂ，４ｃと、リモコン５ａ，５ｂ，５ｃと、制御手段６と、を備える。
【００１４】
熱源機１は、水熱媒を加熱又は冷却するものである。水熱媒としては、一般水道水、又は不凍液若しくは防錆剤等の成分調整された専用液が用いられる。なお、図１には、ヒートポンプ式のものであることを想定した熱源機１が示されているが、灯油やガス等の化石燃料の燃焼によって水熱媒を加熱するものと組み合わせた熱源機１であってもよい。
【００１５】
水熱媒循環回路２は、例えば、銅管、鋼管、又は樹脂管で構成され、銅管、鋼管、又は樹脂管には断熱材が巻かれる。これにより、水熱媒循環回路２を流れる水熱媒が放熱器３に達するまでに発生する放熱ロスを抑制することができる。水熱媒循環回路２には流量調整弁４が設けられている。
【００１６】
放熱器３ａ，３ｂ，３ｃは、空調室への放熱又は吸熱を行う熱交換器であり、例えば各々並列に設けられている。放熱器３ａ，３ｂ，３ｃは、床暖房パネルやパネルヒーター等の輻射放熱器、又はファンコンベクター等のファンコイルユニットで構成される。なお、以後の説明において、放熱器３ａ，３ｂ，３ｃを放熱器３と総称することがある。
【００１７】
流量調整弁４ａ，４ｂ，４ｃは、熱源機１から流出する水熱媒のうち放熱器３に流入する水熱媒の量を調整するための弁である。流量調整弁４ａは、例えば、放熱器３ａの入口側に設けられ、熱源機１から流出する水熱媒のうち放熱器３ａに流入する水熱媒の量を調整する。流量調整弁４ｂは、例えば、放熱器３ｂの入口側に設けられ、熱源機１から流出する水熱媒のうち放熱器３ｂに流入する水熱媒の量を調整する。流量調整弁４ｃは、例えば、放熱器３ｃの入口側に設けられ、熱源機１から流出する水熱媒のうち放熱器３ｃに流入する水熱媒の量を調整する。なお、以後の説明において、流量調整弁４ａ，４ｂ，４ｃを流量調整弁４と総称することがある。
【００１８】
なお、流量調整弁４は、熱源機１に内蔵されていてもよく、又は熱源機１の近傍に取り付けられていてもよい。このように流量調整弁４を設けることで、冷房運転時に冷水が通水する範囲を一層制限することができ、水熱媒循環回路２や放熱器３において結露が発生する可能性を低減でき、建物へ悪影響を及ぼす可能性を低減できる。
【００１９】
リモコン５ａ，５ｂ，５ｃは、例えば空調対象となる空間（空調室）に設けられている。リモコン５ａ，５ｂ，５ｃが有する各種キーが操作されると、操作されたキーに対応する情報（信号）が出力される。例えば、リモコン５ａが、放熱器３ａ及び流量調整弁４ａに対応している。また例えば、リモコン５ｂが、放熱器３ｂ及び流量調整弁４ｂに対応している。また例えば、リモコン５ｃが、放熱器３ｃ及び流量調整弁４ｃに対応している。なお、以後の説明において、リモコン５ａ，５ｂ，５ｃをリモコン５と総称することがある。
【００２０】
制御手段６は、例えば、リモコン５から出力された情報（信号）に基づいて、熱源機１、流量調整弁４、及び表示手段５２の運転を制御する。ここで、「リモコン５から出力された情報（信号）」とは、例えば、放熱器３の運転を開始させる指示、放熱器３の運転を停止させる指示、室温を制御する指示、水温を制御する指示に関する情報を指している。制御手段６は、例えば、放熱器３の運転を停止させたとき、室温が設定温度に達したとき等に流量調整弁４を絞る。これにより、水熱媒循環回路２を流れる水熱媒が放熱器３に流入する量を減らす（なくす）ことができる。制御手段６は、例えば、この機能を実現する回路デバイス等のハードウェア、又はマイコン若しくはＣＰＵ等の演算装置上で実行されるソフトウェアで構成される。
【００２１】
また、以上の説明においては、放熱器３、流量調整弁４、及びリモコン５が各々３つ設けられる例を説明したが、これに限定されない。例えば、放熱器３、流量調整弁４、及びリモコン５が３つよりも多く設けられていてもよい。
【００２２】
以下に、冷温水空調システム１００の水熱媒の流れについて説明する。
水熱媒は、熱源機１で加熱又は冷却され、水熱媒循環回路２を介して放熱器３に搬送される（流入する）。放熱器３に搬送された（流入した）水熱媒は、放熱器３において熱交換することで放熱又は吸熱し、再び水熱媒循環回路２を通過して熱源機１に戻る。このように、冷温水空調システム１００を動作させると、水熱媒が、熱源機１、水熱媒循環回路２、及び放熱器３を通って加熱又は冷却されるサイクルが繰り返される。
【００２３】
図２は本発明の実施の形態１に係る冷温水空調システム１００のリモコン５の構成を示す図である。図２に示されるように、リモコン５は、操作手段５１と、表示手段５２と、を有する操作表示手段である。
【００２４】
操作手段５１は、各種設定を行うための操作部であり、戻るキー５１ａと、下キー５１ｂと、上キー５１ｃと、決定キー５１ｄと、メニューキー５１ｅと、ひかえめキー５１ｆと、タイマーキー５１ｇと、運転停止キー５１ｈと、を備える。操作手段５１は、例えば押しボタン式のものや、タッチパネル式のもので構成される。
【００２５】
操作手段５１を操作することで、熱源機１の運転／停止、タイマー運転の入／切、ひかえめ運転の入／切、設定室温の調節、設定水温の調節、メニュー機能によるシステム設定の変更等を行うことができる。なお、上述のひかえめ運転とは、温水の場合には通常よりやや低めの水温で運転を行い、冷水の場合には通常よりやや高めの水温で運転を行う運転を指す。
【００２６】
表示手段５２は、使用者に対して各種情報を表示（報知）するための表示部である。表示手段５２は、例えばＬＣＤ（Ｌｉｑｕｉｄ  Ｃｒｙｓｔａｌ  Ｄｉｓｐｌａｙ）で構成される。表示手段５２は、操作手段５１の操作に応じた情報を表示するものであり、例えば制御手段６によって制御される。
【００２７】
図３は、本発明の実施の形態１に係る冷温水空調システム１００の初期設定のフローチャートである。熱源機１とリモコン５とが電気配線で接続され、電源が熱源機１に投入されると、制御手段６は、初期設定が行われているか否かを判断する。ここで、初期設定とは、図３のステップＳ１，Ｓ２，Ｓ３の処理を指しており、冷温水空調システムの構築を完了して空調運転を開始する前に行われる。初期設定においては、暖房運転及び冷房運転のうち一方の運転モードにおいてのみ運転可能か、又は暖房運転及び冷房運転の何れの運転モードでも運転可能となるように複数の放熱器３の各々を設定する。
【００２８】
制御手段６は、初期設定が既に行われていると判断した場合には、例えば、初期設定終了後に表示手段５２に表示される画面を表示手段５２に表示させる。制御手段６は、初期設定がまだ行われていないと判断した場合には、ステップＳ１に移行する。
【００２９】
ステップＳ１において、制御手段６は、リモコン５にアドレスを割り当てるための画面を表示手段５２に表示させる。そして、ステップＳ１において、使用者が、表示手段５２に表示されている複数のアドレスの中から、操作中のリモコン５に割り当てるアドレスを選択することで、ステップＳ２に移行する。
【００３０】
ステップＳ２において、制御手段６は、流量調整弁４の出力番号を設定する画面を表示手段５２に表示させる。そして、ステップＳ２において、使用者が、操作中のリモコン５に対して、流量調整弁４の出力番号を設定することで、ステップＳ３に移行する。このようにステップＳ２の処理を行うことで、リモコン５と放熱器３とが関連付けられる。
【００３１】
ステップＳ３において、制御手段６は、操作中のリモコン５に関連付けられた放熱器３の運転を行わせる運転モードを決定する画面を表示手段５２に表示させる。ここで、放熱器３の運転を行わせる運転モードとは、例えば「暖房専用」、「冷房専用」、「冷暖房兼用」の３つである。そして、ステップＳ３において、使用者が、操作中のリモコン５に関連付けられた放熱器３の運転を行わせる運転モードを決定することで、初期設定が終了する。このように初期設定を行うことで、空調室の空調運転／停止、あるいは室温設定を行うことができる。「暖房専用」として設定された放熱器には、加熱された水熱媒のみ流入する。「暖房専用」として設定された放熱器が、本発明の「暖房運転専用放熱器」に相当する。「冷房専用」として設定された放熱器には、冷却された水熱媒のみ流入する。「冷房専用」として設定された放熱器が、本発明の「冷房運転専用放熱器」に相当する。「冷暖房兼用」として設定された放熱器には、加熱及び冷却された水熱媒の何れも流入する。「冷暖房兼用」として設定された放熱器が、本発明の「冷房運転暖房運転兼用放熱器」に相当する。
【００３２】
なお、放熱器３を暖房専用として設定した場合には、制御手段６は、冷房運転を実行したときに予め、水熱媒が放熱器３を通過しないように流量調整弁４を閉塞する。また、放熱器３を冷房専用として設定した場合には、制御手段６は、暖房運転を実行したときに予め、水熱媒が放熱器３を通過しないように流量調整弁４を閉塞する。
【００３３】
また、上述したような、放熱器３とリモコン５とを関連付ける作業は必ず実行されるように構成されている。例えば、制御手段６は、熱源機１とリモコン５とが電気配線で接続され、電源が熱源機１に投入されたとき、初期設定を行わせる画面が表示手段５２に表示させる。そして例えば、制御手段６は、初期設定を設定しないときには、空調運転を実行できないように禁止措置を講じる。なお、上述の「禁止措置」とは、例えば、制御手段６は、空調運転を実行するための情報を操作手段５１から取得しても受け付けないことを指している。
【００３４】
また、リモコン５ａ，５ｂ，５ｃの各々について上述の初期設定を行ってもよいし、リモコン５ａ，５ｂ，５ｃの何れかでリモコン５ａ，５ｂ，５ｃの全てについて上述の初期設定を行ってもよい。
【００３５】
また、放熱器３とリモコン５とを関連付ける設定は、初期設定終了後においても行うことができるようにするとよい。例えば、初期設定終了後において、使用者がメニューキー５１ｅを操作することで、放熱器３とリモコン５とを関連付ける設定を行う画面が表示手段５２に表示されるように構成するとよい。これにより、初期設定時に設定ミスが生じても正しく設定を行うことができる。また、放熱器３とリモコン５との関連付ける組み合わせを変更したい場合に柔軟に対応することができる。
【００３６】
図４は本発明の実施の形態１に係る冷温水空調システム１００のリモコン５に表示される画面の一例を示す図である。図４は、運転モード設定を行う画面が表示手段５２に表示された状態を示す図である。
【００３７】
図４に示されるように、表示手段５２には、上表示領域５３及び下表示領域５４が設けられている。例えば、上表示領域５３には、暖房運転又は冷房運転を選択するための文字が表示される。具体的には例えば、上表示領域５３には、「暖房」及び「冷房」の文字が表示されている。下表示領域５４には、第１領域５４ａ、第２領域５４ｂ、第３領域５４ｃ、及び第４領域５４ｄが設けられている。
【００３８】
第１領域５４ａは、戻るキー５１ａを操作することで実行される機能を説明する内容が表示される領域である。すなわち、戻るキー５１ａを操作することで、第１領域５４ａに表示される機能が実行される。例えば、戻るキー５１ａを操作することで、暖房運転及び冷房運転のうち選択されていない運転モードを選択することができる。
【００３９】
第２領域５４ｂは、下キー５１ｂを操作することで実行される機能を説明する内容が表示される領域である。すなわち、下キー５１ｂを操作することで、第２領域５４ｂに表示される機能が実行される。なお、下キー５１ｂを操作することで実行される機能を説明する内容が第２領域５４ｂに表示されていない場合には、下キー５１ｂを操作しても実行される機能はない。
【００４０】
第３領域５４ｃは、上キー５１ｃを操作することで実行される機能を説明する内容が表示される領域である。すなわち、上キー５１ｃを操作することで、第３領域５４ｃに表示される機能が実行される。例えば、上キー５１ｃを操作することで、運転モードを設定する画面の一つ前の画面に遷移する。
【００４１】
第４領域５４ｄは、決定キー５１ｄを操作することで実行される機能を説明する内容が表示される領域である。すなわち、決定キー５１ｄを操作することで、第４領域５４ｄに表示される機能が実行される。例えば、決定キー５１ｄを操作することで、選択中の運転モードを実行することができる。
【００４２】
以下に、運転モードを設定するときの動作について説明する。
まず、使用者は、戻るキー５１ａを操作して運転モードの切替えを行う。戻るキー５１ａを操作して所望の運転モードが選択されると、使用者は、決定キー５１ｄを操作して選択した所望の運転モードを実行する。
【００４３】
なお、戻るキー５１ａと第１領域５４ａとが対応し、下キー５１ｂと第２領域５４ｂとが対応し、上キー５１ｃと第３領域５４ｃとが対応し、決定キー５１ｄと第４領域５４ｄとが対応する例について説明したが、各キーと各領域との対応関係はこれに限定されない。例えば、戻るキー５１ａと第２領域５４ｂとが対応し、下キー５１ｂと第１領域５４ａとが対応し、上キー５１ｃと第４領域５４ｄとが対応し、決定キー５１ｄと第３領域５４ｃとが対応するように構成してもよい。
【００４４】
図５は本発明の実施の形態１に係る冷温水空調システム１００のリモコン５に表示される画面の一例を示す図である。図５は、運転中の放熱器３が存在する場合に運転モード設定を行う画面が表示手段５２に表示された状態を示す図である。ここでは例えば、開放されている流量調整弁４があるとき、運転中の放熱器３が存在するものとする。
【００４５】
図５に示されるように、開放されている流量調整弁４がある場合に運転モードの設定が行われると、所定の文章が上表示領域５３に表示される。ここで、「所定の文章」とは例えば、「暖房運転中の放熱器があるため、空調モードの切替えができない」こと、及び「空調モードを切替えるためには全てのリモコンで運転停止する必要がある」ことを説明する文章である。このような文章を表示手段５２に表示することで、使用者に適切な情報をアナウンスすることができる。
【００４６】
このとき、制御手段６は、暖房運転が実行されている状態で、戻るキー５１ａを操作する情報を取得しても、暖房運転から冷房運転に変更できないように制限（ロック）する。また、制御手段６は、冷房運転が実行されている状態で、戻るキー５１ａを操作する情報を取得しても、冷房運転から暖房運転に変更できないように制限（ロック）する。このようにして、暖房運転を実行している場合に冷水が放熱器３を通過することを抑制でき、冷房運転を実行している場合に温水が放熱器３を通過することを抑制できる。なお、上述の「制限（ロック）」とは、例えば、制御手段６は、運転モードを変更する情報を操作手段５１から取得しても受け付けないことを指している。
【００４７】
使用者がリモコン５を操作し、流量調整弁４ａ，４ｂ，４ｃの全てを閉塞すると、水熱媒が放熱器３ａ，３ｂ，３ｃを通過しなくなるため、制御手段６は、運転モードの変更を許容する。これにより、使用者は、暖房運転から冷房運転に切替え、リモコン５の操作手段５１を操作して放熱器３の運転設定を行うことができる。暖房運転から冷房運転に切替えられたとき、制御手段６は、冷水が暖房専用に設定された放熱器３を通過しないように、暖房専用に設定された放熱器３に対応する流量調整弁４を閉塞する。また、使用者は、冷房運転から暖房運転に切替え、リモコン５の操作手段５１を操作して放熱器３の運転設定を行うことができる。冷房運転から暖房運転に切替えられたとき、制御手段６は、温水が冷房専用に設定された放熱器３を通過しないように、冷房専用に設定された放熱器３に対応する流量調整弁４を閉塞する。
【００４８】
図６は本発明の実施の形態１に係る冷温水空調システム１００のリモコン５に表示される画面の一例を示す図である。図６は、暖房専用の放熱器３の運転設定を行うリモコン５の表示手段５２に表示される画面である。
【００４９】
図６に示されるように、上表示領域５３には、冷房運転中であるために暖房専用の放熱器３の運転を行うことができない旨の文章が表示される。ここで、「運転を行うことができない旨の文章」とは例えば、「本リモコンは暖房専用です。メニューから運転モードを冷房→暖房に切替えてください」である。このような文章を表示手段５２に表示することで、使用者に適切な情報をアナウンスすることができる。
【００５０】
第１領域５４ａには、戻るキー５１ａを操作することで運転内容を切替えることが可能であることを示す内容が表示される。例えば、第１領域５４ａの上方には、現在の運転内容が表示される。
【００５１】
第２領域５４ｂには、下キー５１ｂを操作することで設定室温を下げることが可能であることを示す内容が表示される。例えば、下キー５１ｂを一回押す毎に設定室温が１℃ずつ下がるようになっている。
【００５２】
第３領域５４ｃには、上キー５１ｃを操作することで設定室温を上げることが可能であることを示す内容が表示される。例えば、上キー５１ｃを一回押す毎に設定室温が１℃ずつ上がるようになっている。
【００５３】
第４領域５４ｄには、決定キー５１ｄを操作することで水温を調節することができることを示す内容が表示される。例えば、決定キー５１ｄを一回押す毎に自動で水温を調節すること及び手動で水温を調節することを切替えられるようになっている。例えば、第４領域５４ｄの上方には、現在設定されている水温が表示される。
【００５４】
以下に、放熱器３ａが暖房専用として設定され、放熱器３ｂが冷房専用として設定され、放熱器３ｃが暖房専用として設定されている場合における冷温水空調システム１００の動作例について説明する。
【００５５】
このとき、暖房運転が開始されると、放熱器３ａに対応する流量調整弁４ａは開放され、放熱器３ｂに対応する流量調整弁４ｂは閉塞され、放熱器３ｃに対応する流量調整弁４ｃは開放されることとなる。
一方、冷房運転が開始されると、放熱器３ａに対応する流量調整弁４ａは閉塞され、放熱器３ｂに対応する流量調整弁４ｂは開放され、放熱器３ｃに対応する流量調整弁４ｃは閉塞されることとなる。
【００５６】
また、制御手段６は、暖房運転が実行されている状態で、冷房運転へ切替える指示が操作手段５１からあった場合に、放熱器３ａに対応する流量調整弁４ａ及び放熱器３ｃに対応する流量調整弁４ｃが開放されているため、冷房運転への切替えを許容しない旨を表示手段５２に表示させる。
一方、制御手段６は、冷房運転が実行されている状態で、暖房運転へ切替える指示が操作手段５１からあった場合に、放熱器３ｂに対応する流量調整弁４ｂが開放されているため、暖房運転への切替えを許容しない旨を表示手段５２に表示させる。
【００５７】
また、制御手段６は、暖房運転が実行されている状態で、放熱器３ａに対応する流量調整弁４ａ及び放熱器３ｃに対応する流量調整弁４ｃが閉塞されると、流量調整弁４ａ，４ｂ，４ｃが全て閉塞されるため、冷房運転への切替えを許容する。
一方、制御手段６は、冷房運転が実行されている状態で、放熱器３ｂに対応する流量調整弁４ｂが閉塞されると、流量調整弁４ａ，４ｂ，４ｃが全て閉塞されるため、暖房運転への切替えを許容する。
【００５８】
また、制御手段６は、暖房運転が実行されている状態で、暖房運転中であるために冷房専用の放熱器３ｂの運転を行うことができない旨を、放熱器３ｂに対応するリモコン５の表示手段５２に表示させる。
一方、制御手段６は、冷房運転が実行されている状態で、冷房運転中であるために暖房専用の放熱器３ａの運転を行うことができない旨を、放熱器３ａに対応するリモコン５の表示手段５２に表示させる。また、制御手段６は、冷房運転が実行されている状態で、冷房運転中であるために暖房専用の放熱器３ｃの運転を行うことができない旨を、放熱器３ｃに対応するリモコン５の表示手段５２に表示させる。
【００５９】
以上のように、本発明の実施の形態１に係る冷温水空調システム１００は、制御手段６は、暖房運転及び冷房運転のうち一方の運転モードにおいてのみ運転可能、又は暖房運転及び冷房運転の何れの運転モードでも運転可能となるように複数の放熱器３の各々を設定し、暖房運転の運転モードでのみ運転可能となるように設定された放熱器３に、冷房運転の運転モードにおいて水熱媒が通過しないように流量調整弁４を閉塞制御し、暖房運転の運転モードにおいて冷房運転の運転モードへ切替える指示が操作手段５１からあった場合に、流量調整弁４の全てが閉塞していることを条件として冷房運転の運転モードへの切替えを許容する、又は冷房運転の運転モードでのみ運転可能となるように設定された放熱器３に、暖房運転の運転モードにおいて水熱媒が通過しないように流量調整弁４を閉塞制御し、冷房運転の運転モードにおいて暖房運転の運転モードへ切替える指示が操作手段５１からあった場合に、流量調整弁４の全てが閉塞していることを条件として暖房運転の運転モードへの切替えを許容する。
このため、水熱媒循環回路２を複数設けることなく、結露の発生を抑制するように暖房運転及び冷房運転を行うことができる。したがって、従来と同様に結露の発生を抑制し、従来よりもコストを削減することができる。
【００６０】
なお、以上の説明においては、放熱器３ａが暖房専用として設定され、放熱器３ｂが冷房専用として設定され、放熱器３ｃが暖房専用として設定されている例を挙げたが、これに限定されるものではない。暖房専用の放熱器と、冷房専用の放熱器又は冷暖房兼用の放熱器と、が各々一台以上存在する状態、冷房専用の放熱器と、暖房専用の放熱器又は冷暖房兼用の放熱器と、が各々一台以上存在する状態、又は、冷暖房兼用の放熱器が二台以上存在する状態となっていればよい。
【００６１】
また、本実施の形態１においては、リモコン５を構成する操作手段５１及び表示手段５２が一体として構成される例について説明したが、これに限定されない。例えば、リモコン５を構成する操作手段５１及び表示手段５２が分離して構成されていてもよい。
【００６２】
また、本実施の形態１においては、運転中の放熱器３が存在することを示す文章を上表示領域５３に表示し、冷房運転中において暖房専用の放熱器３が存在することを示す文章を上表示領域５３に表示する例について説明したが、これに限定されない。例えば、上表示領域５３に表示する文章を音声で出力して使用者に報知するようにしてもよい。
【産業上の利用可能性】
【００６３】
以上の説明においては、放熱器３を暖房専用として用いる例について主に説明したが、放熱器３を冷房専用として用いてもよい。放熱器３を冷房専用として用いる場合においても、放熱器３を暖房専用として用いる場合と同様に、流量調整弁４を閉塞し、表示手段５２に文章を表示するとよい。これにより、冷房専用の放熱器３に温水が通過することによる不具合を抑制することができる。したがって、放熱器３を冷房専用として用いる場合においても、放熱器３を暖房専用として用いる場合と同様に利便性を向上させることができる。なお、冷房専用の放熱器３に温水が通過することによる不具合とは例えば、放熱器３の耐久力及び使用者の火傷のおそれを指している。
【符号の説明】
【００６４】
１  熱源機、２  水熱媒循環回路、３，３ａ，３ｂ，３ｃ  放熱器、４，４ａ，４ｂ，４ｃ  流量調整弁、５，５ａ，５ｂ，５ｃ  リモコン、６  制御手段、５１  操作手段、５１ａ  戻るキー、５１ｂ  下キー、５１ｃ  上キー、５１ｄ  決定キー、５１ｅ  メニューキー、５１ｆ  ひかえめキー、５１ｇ  タイマーキー、５１ｈ  運転停止キー、５２  表示手段、５３  上表示領域、５４  下表示領域、５４ａ  第１領域、５４ｂ  第２領域、５４ｃ  第３領域、５４ｄ  第４領域、１００  冷温水空調システム。
【図１】
0006456057.tif 000002
【図２】
0006456057.tif 000003
【図３】
0006456057.tif 000004
【図４】
0006456057.tif 000005
【図５】
0006456057.tif 000006
【図６】
0006456057.tif 000007